(57)【要約】【課題】録画予約による録画を行うときに、どの光ディスクを使用するばよいのかをユーザに知らせる。【解決手段】ディスク情報表示手段１９は、録画予約による録画が可能な光ディスクの情報の表示を求められたときには、録画予約された番組を録画することが可能な光ディスクの種類の一覧を表示する。【選択図】  図１
2006216130.tif 000002
【特許請求の範囲】
【請求項１】
光ディスクを記録媒体として情報の記録を行うディスクドライブ部と、
録画予約が入力される録画予約手段と、
入力された録画予約により示される番組を、ディスクドライブ部を介して光ディスクに録画する予約実行手段と、
光ディスクに関する情報を表示するディスク情報表示手段とを備えた光ディスク装置において、
同じ光ディスクに録画する録画予約が複数となるときには、前記複数の録画予約の番組のそれぞれを指定された録画モードでもって前記同じ光ディスクに録画するとき、録画容量が１枚の光ディスクに録画可能な容量である録画可能容量を超えていないかどうかを判定する録画容量判定手段と、
同じ光ディスクに録画する録画予約が複数となるときには、録画予約された番組の全てを光ディスクに記録するときの録画容量が光ディスクの録画可能容量を超えない範囲で最も高い画質となるビットレートを算出するビットレート算出手段とを備え、
ディスク情報表示手段は、録画予約による録画が可能な光ディスクの情報の表示を求められたときには、録画予約された番組を録画することが可能な光ディスクの種類の一覧を表示し、
且つ、同じ光ディスクに録画する録画予約が複数となるときには、複数の録画予約の番組の全てについて録画可能となる光ディスクの種類の一覧を表示し、
且つ、録画後の録画内容の変更ありか変更なしかの選択において変更ありが選択されたときには、表示する一覧を、書き換えが不能な光ディスクを前記光ディスクの種類の一覧から削除した一覧とし、
且つ、録画容量が録画可能容量を超えているときには、録画容量が１枚の光ディスクに録画可能な容量を超えていることを示すメッセージを表示し、
予約実行手段は、ビットレート算出手段がビットレートの算出を行ったときには、録画予約された番組をビットレート算出手段によって算出されたビットレートでもって光ディスクに録画することを特徴とする光ディスク装置。
【請求項２】
光ディスクを記録媒体として情報の記録を行うディスクドライブ部と、
録画予約が入力される録画予約手段と、
入力された録画予約により示される番組を、ディスクドライブ部を介して光ディスクに録画する予約実行手段と、
光ディスクに関する情報を表示するディスク情報表示手段とを備えた光ディスク装置において、
ディスク情報表示手段は、録画予約による録画が可能な光ディスクの情報の表示を求められたときには、録画予約された番組を録画することが可能な光ディスクの種類の一覧を表示することを特徴とする光ディスク装置。
【請求項３】
ディスク情報表示手段は、同じ光ディスクに録画する録画予約が複数となるときには、複数の録画予約の番組の全てについて録画可能となる光ディスクの種類の一覧を表示することを特徴とする請求項２に記載の光ディスク装置。
【請求項４】
ディスク情報表示手段は、録画後の録画内容の変更ありか変更なしかの選択において変更ありが選択されたときには、表示する一覧を、書き換えが不能な光ディスクを前記光ディスクの種類の一覧から削除した一覧とすることを特徴とする請求項２または請求項３に記載の光ディスク装置。
【請求項５】
同じ光ディスクに録画する録画予約が複数となるときには、前記複数の録画予約の番組のそれぞれを指定された録画モードでもって前記同じ光ディスクに録画するとき、録画容量が１枚の光ディスクに録画可能な容量である録画可能容量を超えていないかどうかを判定する録画容量判定手段を備え、
ディスク情報表示手段は、録画容量が録画可能容量を超えているときには、録画容量が１枚の光ディスクに録画可能な容量を超えていることを示すメッセージを表示することを特徴とする請求項２から請求項４までのいずれかに記載の光ディスク装置。
【請求項６】
光ディスクを記録媒体として情報の記録を行うディスクドライブ部と、
受信中の番組の録画の指示が入力されたときには、受信中の番組をディスクドライブ部を介して光ディスクに録画する録画制御手段と、
光ディスクに関する情報を表示するディスク情報表示手段とを備えた光ディスク装置において、
ディスク情報表示手段は、受信中の番組の録画に使用可能な情報の表示を求められたときには、受信中の番組を録画することが可能な光ディスクの種類の一覧を表示することを特徴とする光ディスク装置。
【請求項７】
ディスク情報表示手段は、録画後の録画内容の変更ありか変更なしかの選択において変更ありが選択されたときには、表示する一覧を、書き換えが不能な光ディスクを前記光ディスクの種類の一覧から削除した一覧とすることを特徴とする請求項６に記載の光ディスク装置。
【請求項８】
光ディスクを記録媒体として情報の記録を行うディスクドライブ部と、
番組の録画再生を行う情報記録媒体と、
情報記録媒体に録画された番組から光ディスクにダビングする番組を指定するダビング番組指定手段と、
ダビング番組指定手段によって指定した番組を、ディスクドライブ部を介して、情報記録媒体から光ディスクにダビングするダビング実行手段と、
光ディスクに関する情報を表示するディスク情報表示手段とを備えた光ディスク装置において、
ディスク情報表示手段は、ダビング番組指定手段によって指定した番組のダビングに使用可能な光ディスクの情報の表示を求められたときには、ダビング番組指定手段によって指定した番組をダビングすることが可能な光ディスクの種類の一覧を表示することを特徴とする光ディスク装置。
【請求項９】
ディスク情報表示手段は、ダビング番組指定手段によって指定した番組が複数となるときには、前記指定した番組の全てについて録画可能となる光ディスクの種類の一覧を表示することを特徴とする請求項８に記載の光ディスク装置。
【請求項１０】
ディスク情報生成手段は、ダビング後の録画内容の変更ありか変更なしかの選択において変更ありが選択されたときには、表示する一覧を、書き換えが不能な光ディスクを前記光ディスクの種類の一覧から削除した一覧とすることを特徴とする請求項８または請求項９に記載の光ディスク装置。
【発明の詳細な説明】
【技術分野】
【０００１】
本発明は、ＤＶＤ等の光ディスクに録画を行う光ディスク装置に係り、より詳細には、録画が可能な光ディスクの種類の一覧を表示する光ディスク装置に関するものである。
【背景技術】
【０００２】
録画したい番組を録画予約を用いてＤＶＤに録画する装置の１つに、以下に示す装置がある（第１の従来技術とする）。すなわち、この装置では、録画予約を入力する手段（タイマー予約手段）と、記録するディスクが記録可能な媒体であることを検出する第１の検出手段と、前記ディスクに対する光学的なフォーカスが規定の範囲内にあることを検出する第２の検出手段と、前記ディスクが回転可能状態にあることを検出する第３の検出手段とを設けている。そして、第１〜第３の検出手段の検出結果が、１つでも該当しないことが判明した場合には、録画できない状態であると判定して、ユーザに対し、タイマー予約できないことを警告するようになっている（例えば、特許文献１参照）。
【０００３】
また、番組を受信しているときに、受信中の番組を録画する指示を入力したとき、ＤＶＤドライブに収納されているＤＶＤが、再生専用のＤＶＤであり、録画不能なＤＶＤである場合では、ＤＶＤが再生専用なために録画できないことを示すメッセージを表示するとともに、ＤＶＤドライブに収納されていたＤＶＤを取り出し位置に移動させる装置も提案されている（第２の従来技術とする）。
【０００４】
また、以下に示す技術が提案されている（第３の従来技術とする）。すなわち、この技術では、内蔵のハードディスクドライブに圧縮映像情報を記録再生可能であるとともに、リムーバブルなＤＶＤにも圧縮映像情報を記録再生可能な構成に適用している。そして、録画予約時間情報とディスクの残り容量とを計算して、予約録画が可能がどうかを一覧表示している。このため、ユーザにとっては、予約の状況や、予約録画が可能かどうかを容易に知ることができる（例えば、特許文献２参照）。
【特許文献１】特開２００２−５０１０７号公報
【特許文献２】特再表２００２−２８１００号公報
【発明の開示】
【発明が解決しようとする課題】
【０００５】
しかしながら、第１の従来技術を用いた場合には、以下に示す問題を生じていた。すなわち、録画予約における記録媒体として使用されるＤＶＤは、記録不能なＤＶＤと記録可能なＤＶＤに大別される。そして、記録可能なＤＶＤについても、書き換えが可能なＤＶＤと書き換えが不能なＤＶＤがある。そして、フォーマットも含めた規格が乱立している関係で、書き換えが可能なＤＶＤと書き換えが不能なＤＶＤとのそれぞれにも、複数種のＤＶＤがある。さらには、録画する番組が『１回だけ録画可能』（以下ではコピーワンスと称する）な番組であるかどうかによっても、使用可能なＤＶＤの種類が異なる。すなわち、記録可能なＤＶＤであっても、その種類が多く、使用する装置や録画予約する番組によって、使用可能なＤＶＤの種類が異なる。このため、ＤＶＤドライブに収納されたＤＶＤが記録用媒体でない場合に、録画できない状態であると判定する構成とするときでは、ＤＶＤドライブに収納されたＤＶＤが、実際には録画できないＤＶＤとなっている場合であっても、警告が表示されず、録画予約が実行されなかった、という不具合が生じる。
【０００６】
また、第２の従来技術を用いる場合でも、上記したように、多種のＤＶＤがあるので、受信中の番組を記録するためには、どのＤＶＤを用いればよいのかが分かりづらい。このため、ユーザにとっては、自身が所有する装置では録画できないＤＶＤを誤って購入してしまう、といった事態を招いていた。
【０００７】
第３の従来技術は、録画予約時間情報とディスクの残り容量とを計算して、予約録画が可能がどうかを一覧表示する技術となっている。このため、第１の従来技術や第２の従来技術において生じた問題、すなわち、ＤＶＤの種類が多いために、どのＤＶＤを使用すればよいのかが分からない、という問題を解決しようとする観点からは、適用することが困難な技術となっている。
【０００８】
本発明は、上記の問題点を解決するため創案されたものであり、その目的は、録画予約による録画を行うとき、および、録画予約が、同じ光ディスクに複数の番組を録画する録画予約となるとき、および、録画予約による録画を行った後に、編集や再度の録画を行いたいとき、どの光ディスクを使用すればよいのかをユーザに知らせることのでき、且つ、録画予約の記録容量が多過ぎるため、そのまま録画予約を行うと録画できない番組が生じることを前もって知らせることのでき、且つ、録画予約の記録容量が多過ぎるときに、録画におけるビットレートを、録画予約の番組の全てを録画可能にするビットレートに自動で変更することのできる光ディスク装置を提供することにある。
【０００９】
また本発明の目的は、録画予約による録画が可能な光ディスクの情報の表示を求められたときには、録画予約された番組を録画することが可能な光ディスクの種類の一覧を表示することにより、録画予約による録画を行うときに、どの光ディスクを使用するばよいのかをユーザに知らせることのできる光ディスク装置を提供することにある。
【００１０】
また、上記目的に加え、同じ光ディスクに録画する録画予約が複数となるときには、複数の録画予約の番組の全てについて録画可能となる光ディスクの種類の一覧を表示することにより、同じ光ディスクに複数の番組を録画するときに、どの光ディスクを使用すればよいのかをユーザに知らせることのできる光ディスク装置を提供することにある。
【００１１】
また、上記目的に加え、録画後の録画内容の変更ありか変更なしかの選択において変更ありが選択されたときには、表示する一覧を、書き換えが不能な光ディスクを前記光ディスクの種類の一覧から削除した一覧とすることにより、録画予約による録画を行った後に、編集や再度の録画を行う予定のとき、どの光ディスクを使用すればよいのかをユーザに知らせることのできる光ディスク装置を提供することにある。
【００１２】
また、上記目的に加え、録画容量が録画可能容量を超えているときには、録画容量が１枚の光ディスクに録画可能な容量を超えていることを示すメッセージを表示することにより、そのまま録画予約を行うと録画できない番組が生じることを前もって知らせることのできる光ディスク装置を提供することにある。
【００１３】
また本発明の目的は、受信中の番組の録画に使用可能な情報の表示を求められた場合には、受信中の番組を録画することが可能な光ディスクの種類の一覧を表示することにより、受信中の番組を録画するにはどの光ディスクを使用すればよいのかをユーザに知らせることのできる光ディスク装置を提供することにある。
【００１４】
また、上記目的に加え、録画後の録画内容の変更ありか変更なしかの選択において変更ありが選択されたときには、表示する一覧を、書き換えが不能な光ディスクを前記光ディスクの種類の一覧から削除した一覧とすることにより、受信中の番組の録画を行った後に、編集や再度の録画を行う予定のとき、どの光ディスクを使用すればよいのかをユーザに知らせることのできる光ディスク装置を提供することにある。
【００１５】
また本発明の目的は、指定した番組のダビングに使用可能な光ディスクの情報の表示を求められたときには、指定した番組をダビングすることが可能な光ディスクの種類の一覧を表示することにより、ダビングを行うときに、どの光ディスクを使用すればよいのかをユーザに知らせることのできる光ディスク装置を提供することにある。
【００１６】
また、上記目的に加え、ダビングする番組が複数となるときには、ダビングする番組の全てについて録画可能となる光ディスクの種類の一覧を表示することにより、複数の番組を１枚の光ディスクにダビングする場合に、どの光ディスクを使用すればよいのかをユーザに知らせることのできる光ディスク装置を提供することにある。
【００１７】
また、上記目的に加え、ダビング後の録画内容の変更ありか変更なしかの選択において変更ありが選択されたときには、表示する一覧を、書き換えが不能な光ディスクを前記光ディスクの種類の一覧から削除した一覧とすることにより、ダビングした光ディスクを、再度録画に使用する予定のときには、どの光ディスクを使用すればよいのかをユーザに知らせることのできる光ディスク装置を提供することにある。
【課題を解決するための手段】
【００１８】
上記の課題を解決するため、本発明に係る光ディスク装置は、光ディスクを記録媒体として情報の記録を行うディスクドライブ部と、録画予約が入力される録画予約手段と、入力された録画予約により示される番組を、ディスクドライブ部を介して光ディスクに録画する予約実行手段と、光ディスクに関する情報を表示するディスク情報表示手段とを備えた光ディスク装置に適用しており、同じ光ディスクに録画する録画予約が複数となるときには、前記複数の録画予約の番組のそれぞれを指定された録画モードでもって前記同じ光ディスクに録画するとき、録画容量が１枚の光ディスクに録画可能な容量である録画可能容量を超えていないかどうかを判定する録画容量判定手段と、同じ光ディスクに録画する録画予約が複数となるときには、録画予約された番組の全てを光ディスクに記録するときの録画容量が光ディスクの録画可能容量を超えない範囲で最も高い画質となるビットレートを算出するビットレート算出手段とを備えている。そして、ディスク情報表示手段は、録画予約による録画が可能な光ディスクの情報の表示を求められたときには、録画予約された番組を録画することが可能な光ディスクの種類の一覧を表示し、且つ、同じ光ディスクに録画する録画予約が複数となるときには、複数の録画予約の番組の全てについて録画可能となる光ディスクの種類の一覧を表示し、且つ、録画後の録画内容の変更ありか変更なしかの選択において変更ありが選択されたときには、表示する一覧を、書き換えが不能な光ディスクを前記光ディスクの種類の一覧から削除した一覧とし、且つ、録画容量が録画可能容量を超えているときには、録画容量が１枚の光ディスクに録画可能な容量を超えていることを示すメッセージを表示する。また、予約実行手段は、ビットレート算出手段がビットレートの算出を行ったときには、ビットレート算出手段によって算出されたビットレートでもって録画予約された番組を光ディスクに録画する。
【００１９】
すなわち、録画予約による録画が可能な光ディスクの情報の表示をユーザが求めるときには、録画予約された番組を録画することが可能な光ディスクの種類の一覧が表示される。また、同じ光ディスクに対して複数の番組を録画予約するときに使用可能な光ディスクの一覧が表示される。また、録画後の録画内容を変更（編集や再度の録画）しようとする予定のときでは、書き換えが可能な光ディスクのみが、使用可能な光ディスクとして表示される。また、録画容量が録画可能容量を超えたために、録画予約できない番組が生じるときには警告を示すメッセージが表示される。また、複数の録画予約の番組を１枚の光ディスクに録画するときに最適となるビットレートが自動で算出される。
【００２０】
また本発明に係る光ディスク装置は、光ディスクを記録媒体として情報の記録を行うディスクドライブ部と、録画予約が入力される録画予約手段と、入力された録画予約により示される番組を、ディスクドライブ部を介して光ディスクに録画する予約実行手段と、光ディスクに関する情報を表示するディスク情報表示手段とを備えた光ディスク装置に適用しており、ディスク情報表示手段は、録画予約による録画が可能な光ディスクの情報の表示を求められたときには、録画予約された番組を録画することが可能な光ディスクの種類の一覧を表示する。すなわち、録画予約による録画が可能な光ディスクの情報の表示をユーザが求めるときには、録画予約された番組を録画することが可能な光ディスクの種類の一覧が表示される。
【００２１】
また、上記構成に加え、ディスク情報表示手段は、同じ光ディスクに録画する録画予約が複数となるときには、複数の録画予約の番組の全てについて録画可能となる光ディスクの種類の一覧を表示する。すなわち、同じ光ディスクに対して複数の番組を録画予約するときに使用可能な光ディスクの一覧が表示される。
【００２２】
また、上記構成に加え、ディスク情報表示手段は、録画後の録画内容の変更ありか変更なしかの選択において変更ありが選択されたときには、表示する一覧を、書き換えが不能な光ディスクを前記光ディスクの種類の一覧から削除した一覧とする。すなわち、録画後の録画内容を変更しようとする予定のときでは、書き換えが可能な光ディスクのみが、使用可能な光ディスクとして表示される。
【００２３】
また、上記構成に加え、同じ光ディスクに録画する録画予約が複数となるときには、前記複数の録画予約の番組のそれぞれを指定された録画モードでもって前記同じ光ディスクに録画するとき、録画容量が１枚の光ディスクに録画可能な容量である録画可能容量を超えていないかどうかを判定する録画容量判定手段を備え、ディスク情報表示手段は、録画容量が録画可能容量を超えているときには、録画容量が１枚の光ディスクに録画可能な容量を超えていることを示すメッセージを表示する。すなわち、録画容量が録画可能容量を超えたために、録画予約できない番組が生じるときには警告を示すメッセージが表示される。
【００２４】
また本発明に係る光ディスク装置は、光ディスクを記録媒体として情報の記録を行うディスクドライブ部と、受信中の番組の録画の指示が入力されたときには、受信中の番組をディスクドライブ部を介して光ディスクに録画する録画制御手段と、光ディスクに関する情報を表示するディスク情報表示手段とを備えた光ディスク装置に適用している。そして、ディスク情報表示手段は、受信中の番組の録画に使用可能な情報の表示を求められた場合には、受信中の番組を録画することが可能な光ディスクの種類の一覧を表示する。すなわち、受信中の番組を録画が可能な光ディスクの情報の表示をユーザが求めるときには、受信中の番組を録画可能な光ディスクの種類の一覧が表示される。
【００２５】
また、上記構成に加え、ディスク情報表示手段は、録画後の録画内容の変更ありか変更なしかの選択において変更ありが選択されたときには、表示する一覧を、書き換えが不能な光ディスクを前記光ディスクの種類の一覧から削除した一覧とする。すなわち、録画後の録画内容を変更しようとする予定のときでは、書き換えが可能な光ディスクのみが、使用可能な光ディスクとして表示される。
【００２６】
また本発明に係る光ディスク装置は、光ディスクを記録媒体として情報の記録を行うディスクドライブ部と、番組の録画再生を行う情報記録媒体と、情報記録媒体に録画された番組から光ディスクにダビングする番組を指定するダビング番組指定手段と、ダビング番組指定手段によって指定した番組を、ディスクドライブ部を介して、情報記録媒体から光ディスクにダビングするダビング実行手段と、光ディスクに関する情報を表示するディスク情報表示手段とを備えた光ディスク装置に適用しており、ディスク情報表示手段は、ダビング番組指定手段によって指定した番組のダビングに使用可能な光ディスクの情報の表示を求められたときには、ダビング番組指定手段によって指定した番組をダビングすることが可能な光ディスクの種類の一覧を表示する。すなわち、指定した番組をダビングするときに使用可能な光ディスクの情報の表示をユーザが求めるときには、指定した番組をダビングことが可能な光ディスクの種類の一覧が表示される。
【００２７】
また、上記構成に加え、ディスク情報表示手段は、ダビング番組指定手段によって指定した番組が複数となるときには、前記指定した番組の全てについて録画可能となる光ディスクの種類の一覧を表示する。すなわち、同じ光ディスクに対して複数の番組をダビングするときに使用可能な光ディスクの一覧が表示される。
【００２８】
また、上記構成に加え、ディスク情報生成手段は、ダビング後の録画内容の変更ありか変更なしかの選択において変更ありが選択されたときには、表示する一覧を、書き換えが不能な光ディスクを前記光ディスクの種類の一覧から削除した一覧とする。すなわち、録画後の録画内容を変更（再度の録画）しようとする予定のときでは、書き換えが可能な光ディスクのみが、使用可能な光ディスクとして表示される。
【発明の効果】
【００２９】
本発明によれば、録画予約による録画が可能な光ディスクの情報の表示をユーザが求めるときには、録画予約された番組を録画することが可能な光ディスクの種類の一覧が表示される。また、同じ光ディスクに対して複数の番組を録画予約するときに使用可能な光ディスクの一覧が表示される。また、録画後の録画内容を変更しようとするときでは、書き換えが可能な光ディスクのみが、使用可能な光ディスクとして表示される。また、録画容量が録画可能容量を超えたために、録画予約できない番組が生じるときには警告を示すメッセージが表示される。また、複数の録画予約の番組を１枚の光ディスクに録画するときに最適となるビットレートが自動で算出される。このため、録画予約による録画を行うとき、および、録画予約が同じ光ディスクに複数の番組を録画する録画予約となるとき、および、録画予約による録画を行った後に編集や再度の録画を行いたいとき、どの光ディスクを使用すればよいのかをユーザに知らせることができる。且つ、録画予約の記録容量が多過ぎるため、そのまま録画予約を行うと録画できない番組が生じることを前もって知らせることができ、且つ、録画予約の記録容量が多過ぎるときに、録画におけるビットレートを、録画予約の番組の全てを録画可能にするビットレートに自動で変更することができる。
【００３０】
また本発明によれば、録画予約による録画が可能な光ディスクの情報の表示をユーザが求めるときには、録画予約された番組を録画することが可能な光ディスクの種類の一覧が表示されるので、録画予約による録画を行うときに、どの光ディスクを使用するばよいのかをユーザに知らせることができる。
【００３１】
また、さらに、同じ光ディスクに対して複数の番組を録画予約するときに使用可能な光ディスクの一覧が表示されるので、同じ光ディスクに複数の番組を録画するときに、どの光ディスクを使用すればよいのかをユーザに知らせることができる。
【００３２】
また、さらに、録画後の録画内容を変更しようとするときでは、書き換えが可能な光ディスクのみが、使用可能な光ディスクとして表示されるので、録画予約による録画を行った後に、編集や再度の録画を行う予定のとき、どの光ディスクを使用すればよいのかをユーザに知らせることができる。
【００３３】
また、さらに、録画容量が録画可能容量を超えたために、録画予約できない番組が生じるときには警告を示すメッセージが表示されるので、そのまま録画予約を行うと録画できない番組が生じることを前もって知らせることができる。
【００３４】
また本発明によれば、受信中の番組を録画が可能な光ディスクの情報の表示をユーザが求めるときには、受信中の番組を録画可能な光ディスクの種類の一覧が表示されるので、受信中の番組を録画するにはどの光ディスクを使用すればよいのかをユーザに知らせることができる。
【００３５】
また、さらに、録画後の録画内容を変更しようとするときでは、書き換えが可能な光ディスクのみが、使用可能な光ディスクとして表示されるので、受信中の番組の録画を行った後に、編集や再度の録画を行う予定のとき、どの光ディスクを使用すればよいのかをユーザに知らせることができる。
【００３６】
また本発明によれば、指定した番組をダビングするときに使用可能な光ディスクの情報の表示をユーザが求めるときには、指定した番組をダビングことが可能な光ディスクの種類の一覧が表示されるので、ダビングを行うときに、どの光ディスクを使用すればよいのかをユーザに知らせることができる。
【００３７】
また、さらに、同じ光ディスクに対して複数の番組をダビングするときに使用可能な光ディスクの一覧が表示されるので、複数の番組を１枚の光ディスクにダビングする場合に、どの光ディスクを使用すればよいのかをユーザに知らせることができる。
【００３８】
また、さらに、録画後の録画内容を変更しようとするときでは、書き換えが可能な光ディスクのみが、使用可能な光ディスクとして表示されるので、ダビングした光ディスクを、再度録画に使用する予定のときには、どの光ディスクを使用すればよいのかをユーザに知らせることができる。
【発明を実施するための最良の形態】
【００３９】
以下、本発明の実施の形態について図を参照して説明する。
【００４０】
図１は、本発明に係る光ディスク装置の一実施形態であるハードディスクドライブ一体型ＤＶＤレコーダの電気的構成を示すブロック線図である。
【００４１】
図において、チューナ部１は、マイクロコンピュータ（以下ではマイコンと称する）７から指示されたチャンネルの商用放送を受信する。また、受信して得られたアナログ映像信号（アナログ音声信号を含む信号であり、以下では、単に映像信号と称する）をＡ／Ｄ変換部２に出力する。Ａ／Ｄ変換部２は、チューナ部１から出力される映像信号をデジタル映像信号（デジタル音声信号を含む信号であり、以下では、単に映像信号と称する）に変換し、信号処理部３に出力する。
【００４２】
ディスクドライブ部５は、ＤＶＤ（請求項記載の光ディスクであり、ＤＶＤ−ＲＷやＤＶＤ−ＲＡＭ等）２１を記録媒体として、情報の記録や再生を行う。すなわち、信号処理部３より出力される圧縮映像音声情報を所定処理（８−１６変調等）して得られた信号をＤＶＤ２１に記録する。また、ＤＶＤ２１に記録された信号を読み出し、所定処理（８−１６復調とエラー訂正）して得られた圧縮映像音声情報を信号処理部３に出力する。
【００４３】
ハードディスクドライブ（請求項記載の情報記録媒体であり、以下では、ＨＤＤと称する）６は、番組の録画再生を行う。すなわち、信号処理部３より出力される圧縮映像音声情報を内部に記録する。また、内部に記録した圧縮映像音声情報を再生して信号処理部３に出力する。Ｄ／Ａ変換部４は、信号処理部３より出力される映像信号（デジタル音声信号を含む）を、アナログ映像信号（アナログ音声信号を含む）に変換し、外部に設けられたテレビ受像機２２に出力する。
【００４４】
信号処理部３は、エンコード部９を用いて、Ａ／Ｄ変換部２から出力される映像信号をＭＰＥＧ２方式（音声信号についてはＡＣ−３方式）によって圧縮処理した後、ストリーム合成を行うことによって得られた圧縮映像音声情報をディスクドライブ部５やＨＤＤ６に出力する。また、ディスクドライブ部５やＨＤＤ６から出力される圧縮映像音声情報を、ストリーム分離した後、デコード部１０を用い、映像情報をＭＰＥＧ２方式（音声情報についてはＡＣ−３方式）によって伸長処理する。そして、伸長処理した映像情報をＤ／Ａ変換部４に出力する（このとき、マイコン７より指示された文字等の情報をオンスクリーンディスプレイ（図示を省略）を用いて重畳する）。
【００４５】
また、信号処理部３は、マイコン７からの指示に従い、ディスクドライブ部５から出力された圧縮映像音声情報をＨＤＤ６に出力して記録させる。また、ダビングとなるときには、ＨＤＤ６より再生された圧縮映像音声情報をディスクドライブ部５に出力する。
【００４６】
入力回路部８は、図示されない装置本体の前面パネルに設けられた電源キーや録画キー等の複数のキースイッチ、および、リモートコントローラ（以下ではリモコンと称する）２３から送信される赤外線信号を受光する受光ユニット等を備えており、ユーザからの指示が入力される。また、入力されたユーザからの指示をマイコン７に出力する。
【００４７】
マイコン７は、ハードディスクドライブ一体型ＤＶＤレコーダとしての主要動作を制御する。すなわち、リモコン２３等に入力されたユーザの指示に従って、チューナ部１が受信するチャンネルを制御する。また、信号処理部３とディスクドライブ部５とを制御することによって、ＤＶＤ２１に録画された番組の再生や、受信した番組のＤＶＤ２１への録画のための制御を行う。また、ＨＤＤ６に録画された番組の再生や、受信した番組をＨＤＤ６に録画するための制御を行う。また、ＨＤＤ６に録画された番組をＤＶＤ２１にダビングするための制御、および、録画予約のための制御を行う。
【００４８】
このため、マイコン７は、その機能でもって、録画予約手段１２、予約実行手段１３、録画容量判定手段１４、ビットレート算出手段１５、録画制御手段１６、ダビング実行手段１７、ダビング番組指定手段１８、および、ディスク情報表示手段１９を構成する。
【００４９】
録画予約手段１２は、録画予約が入力されるブロックであり、図２は、このときの入力項目を示している。すなわち、録画日６１、録画開始時刻６２、録画終了時刻６３、受信するチャンネル６４、録画する記録媒体の種類６５、および、録画モード６６の６つの項目が入力される。なお、録画予約が複数となるときには、複数枚のＤＶＤにグループ分けして録画することが可能となっている。このため、記録媒体の種類６５については、ハードディスクドライブとＤＶＤとのうちの一方を選択可能とするとともに、ＤＶＤを選択する場合では、ＤＶＤ１、ＤＶＤ２、ＤＶＤ３、・・・と、複数枚のＤＶＤのうちから、任意の一枚を指定できるようになっている。
【００５０】
予約実行手段１３は、録画予約手段１２に入力された録画予約の番組を、ディスクドライブ部５を介してＤＶＤ２１に録画する。なお、同じＤＶＤ２１に録画することを指示された複数の録画予約があるときには、指示された複数の録画予約の番組を、同じ１枚のＤＶＤ２１に録画する。また、同じＤＶＤ２１に録画することを指示された複数の録画予約があり、且つ、ビットレート算出手段１５がビットレートを算出するときでは（後述する）、前記複数の録画予約の番組を、算出されたビットレートでもってＤＶＤ２１に録画する。また、なお、録画予約手段１２に入力され、記録媒体の種類としてＨＤＤ６が指定された録画予約については、録画予約の番組をＨＤＤ６に録画する。
【００５１】
録画容量判定手段１４は、同じＤＶＤ２１に録画する録画予約が複数となるときには、前記複数の録画予約の番組のそれぞれを指定された録画モードでもって前記同じＤＶＤ２１に録画するとき、録画容量が１枚の光ディスクに録画可能な容量である録画可能容量を超えていないかどうかを判定する。ビットレート算出手段１５は、同じＤＶＤ２１に録画する録画予約が複数となるときには、録画予約された番組の全てを１枚のＤＶＤ２１に記録するときの録画容量が、ＤＶＤ２１の録画可能容量を超えない範囲で最も高い画質となるビットレートを算出する。
【００５２】
録画制御手段１６は、受信中の番組の録画の指示が入力された（リモコン２３の録画キー（図示を省略）等が操作された）ときには、受信中の番組を、ディスクドライブ部５をを介してＤＶＤ２１に録画する。ダビング番組指定手段１８は、ＨＤＤ６に録画された番組から、ＤＶＤ２１にダビングする番組を指定する。ダビング実行手段１７は、ダビング番組指定手段１８によって指定された番組を、ディスクドライブ部５を介して、ＨＤＤ６からＤＶＤ２１にダビングする。
【００５３】
ディスク情報表示手段１９は、録画予約による録画が可能なＤＶＤの情報の表示を求められたときには、録画予約された番組を録画することが可能なＤＶＤの全種類の一覧を表示する。また、同じＤＶＤ２１に録画する録画予約が複数となるときには、複数の録画予約の番組の全てについて録画可能となるＤＶＤの全種類の一覧を表示する。また、録画後の録画内容の変更ありか変更なしかの選択において変更ありが選択されたときには、表示する一覧を、書き換えが不能なＤＶＤを前記ＤＶＤの全種類の一覧から削除した一覧とする。また、録画容量判定手段１４における判定結果が、録画容量が録画可能容量を超えていることを示すときには、録画容量が１枚のＤＶＤ２１に録画可能な容量を超えていることを示すメッセージを表示する。
【００５４】
また、ディスク情報表示手段１９は、受信中の番組の録画に使用可能なＤＶＤの種類の表示を求められた場合には、受信中の番組を録画することが可能な光ディスクの全種類の一覧を表示する。また、このとき、録画後の録画内容の変更ありか変更なしかの選択において変更ありが選択されたときには、表示する一覧を、書き換えが不能なＤＶＤを前記ＤＶＤの全種類の一覧から削除した一覧とする。
【００５５】
また、ディスク情報表示手段１９は、ダビング番組指定手段１８によって指定された番組のダビングに使用可能なＤＶＤの情報の表示を求められたときには、ダビング番組指定手段１８によって指定された番組をダビングすることが可能なＤＶＤの全種類の一覧を表示する。また、ダビング番組指定手段１８によって指定された番組が複数となるときには、前記指定された番組の全てについて録画可能となるＤＶＤの全種類の一覧を表示する。また、ダビング後の録画内容の変更ありか変更なしかの選択において変更ありが選択されたときには、表示する一覧を、書き換えが不能なＤＶＤを前記ＤＶＤの全種類の一覧から削除した一覧とする。
【００５６】
図３は、録画予約による録画に使用可能なＤＶＤの一覧を表示するときの実施形態の主要動作を示すフローチャートである。必要に応じて同図を参照しつつ、実施形態の動作を説明する。
【００５７】
リモコン２３を操作し、図４に示す録画予約の入力画面を表示することによって、録画予約を入力する（ステップＳ１）。いま、図４に示すように、２つの録画予約が入力されているとする。この状態において、『一覧表示』ボタン４１を操作し、使用可能なＤＶＤの一覧の表示を指示すると（ステップＳ２）、ディスク情報表示手段１９は、カーソル４９１に対応するＤＶＤ（『ＤＶＤ１』）に録画する録画予約を抽出する。このときでは、予約番号１の録画予約のみが抽出される（ステップＳ３）。
【００５８】
そして、ディスク情報表示手段１９は、録画後の録画内容の変更ありか変更なしかの選択において、変更なしが選択されたと見なし、抽出した録画予約（予約番号１の録画予約）に使用可能なＤＶＤの一覧を表示する（ステップＳ４〜Ｓ６）。従って、ステップＳ６に動作が移行したときには、図５（Ａ）に示したように、カーソル４９１が位置する録画予約（予約番号が１である録画予約）に使用可能なＤＶＤの全種類の一覧が表示される。なお、予約番号１の録画予約の番組は、コピー制限のない番組であるため、本実施形態を用いて録画が可能なＤＶＤの全ての種類が表示される。また、ＤＶＤの全種類（以下における説明中の『全種類』とは、本実施形態において使用可能なＤＶＤの全ての種類を意味している）の一覧の表示においては、安価なために使用を推奨するＤＶＤに対して、推奨を示すマーク『＊＊』４５１が表示される。
【００５９】
なお、このときでは、抽出した録画予約の記録容量の合計値は１枚のＤＶＤに録画可能な値である録画可能容量より小さい値となっている。このため、動作は、ステップＳ１７以降では、ステップＳ７〜Ｓ９，Ｓ１３と移行する。そして、録画後の録画内容の変更ありか変更なしかの選択において、『変更なし』が『変更あり』に、または、『変更あり』が『変更なし』に変わったかどうか（ステップＳ１３，Ｓ１４）、カーソル４９１が移動したかどうか（ステップＳ１５）、一覧表示を終了するかどうか（ステップＳ１６）のそれぞれを調べるループ動作に移行する。
【００６０】
図５（Ａ）における『編集・書換用』ボタン４３は、録画後の録画内容の変更ありか変更なしかの選択において、『変更あり』を選択するボタン、『保存用』ボタン４４は、録画後の録画内容の変更ありか変更なしかの選択において、『変更なし』を選択するボタンとなっている。このため、図５（Ａ）に示す表示となっている状態において、『編集・書換用』ボタン４３を操作すると、ループ動作は、ステップＳ１４からステップＳ４に移行する。
【００６１】
このときでは、『変更あり』となるので、動作は、ステップＳ５，Ｓ１７と移行する。その結果、図５（Ｂ）に示したように、『保存用』ボタン４４を操作したときのＤＶＤの全種類の一覧から、書き換えが不能なＤＶＤを削除したＤＶＤの種類の一覧が表示される。そして、このときでは、『ＤＶＤ−ＲＷ』に対して、推奨を示すマーク『＊＊』４５２が表示される。次いで、ステップＳ７〜Ｓ９，Ｓ１３と移行した後、ステップＳ１３〜Ｓ１６からなるループ動作に移行する。
【００６２】
ステップＳ１３〜Ｓ１６からなるループ動作において、カーソル４９１を予約番号２の録画予約に移動させたとする。このときでは、動作は、ステップＳ１５からステップＳ３に移行し、『ＤＶＤ２』に録画する録画予約を抽出する。このときでは、予約番号２の録画予約のみが抽出される（ステップＳ３）。そして、ディスク情報表示手段１９は、録画後の録画内容の変更ありか変更なしかの選択においては、『変更なし』が選択されたと見なす。このため、ディスク情報表示手段１９は、抽出した録画予約（予約番号２の録画予約）に使用可能なＤＶＤのうち、書き換え不能なＤＶＤ（本実施形態で録画可能なＤＶＤの全種類）の種類の一覧を表示する（ステップＳ４〜Ｓ６）。
【００６３】
その結果、テレビ受像機２２には、図６（Ａ）に示す内容が表示される（移動後のカーソルを４９２により示す）。すなわち、予約番号２の録画予約は、コピーワンスの番組を録画する予約となっている。このため、表示される一覧は、コピーワンスに対応したＤＶＤの全種類の一覧となっている。また、図６（Ａ）に示す表示となっている状態において、『編集・書換用』ボタン４３を操作したときには、図６（Ｂ）に示す表示となる。すなわち、コピーワンスに対応したＤＶＤの全てを示す一覧から、書き換えが不能なＤＶＤを削除した一覧が表示される。
【００６４】
以上で、２つの録画予約が入力された場合の動作についての説明を終了し、以下に、より多くの録画予約が入力された場合の動作について説明する。
【００６５】
いま、図７（Ａ）に示すように、７つの録画予約が入力されているとする。また、カーソルは、４９３に示したように、予約番号１の録画予約に位置しているとする。また、使用可能なＤＶＤの一覧の表示の指示が入力されたとする（ステップＳ１，Ｓ２）。このときでは、ディスク情報表示手段１９は、カーソル４９３に対応するＤＶＤ（『ＤＶＤ１』）に録画する録画予約を抽出する。その結果、予約番号１、３、４の４つの録画予約が抽出される（ステップＳ３）。
【００６６】
また、ディスク情報表示手段１９は、録画後の録画内容の変更ありか変更なしかの選択において、『変更なし』が選択されたと見なす。そして後、抽出した録画予約（予約番号１、３、４の録画予約）の全てに関して使用可能なＤＶＤの一覧を表示する（ステップＳ４〜Ｓ６）。このときでは、予約番号１、３の番組はコピー制限がないが、予約番号４の番組はコピーワンスとなっている。このため、テレビ受像機２２に表示されるＤＶＤの種類の一覧は、図７（Ａ）に示したように、コピーワンスの番組を録画可能なＤＶＤの全種類の一覧となる（４５３は推奨マークを示している）。
【００６７】
そして後、抽出した録画予約の記録容量の合計値を算出し、算出結果が、録画可能な値となっているかどうか（算出結果が録画可能容量以下かどうか）を調べる（ステップＳ７，Ｓ８）。このときでは、記録容量の合計値は、ＳＰモードに換算して３時間となっている（ＳＰモードでは２時間分、ＬＰモードでは４時間分の番組を１枚のＤＶＤに録画可能）。つまり、算出結果は、１枚のＤＶＤには録画できないことを示している。
【００６８】
このため、動作は、ステップＳ９，Ｓ１０と移行し、ディスク情報表示手段１９は、合計した記録容量がＤＶＤに録画可能な値を超えていることを示すメッセージ（４８により示す）を表示する。また、録画予約された番組の全て（予約番号１、３、４の３つの番組）をＤＶＤに記録するときの録画容量がＤＶＤの録画可能容量を超えない範囲で最も高い画質となるビットレートを自動で算出し録画することを指示する『おまかせ』ボタン４５、指定した録画モードで録画すること指示する『そのまま』ボタン４６を表示する。
【００６９】
そして、図７（Ａ）の表示となった状態において、『おまかせ』ボタン４５を操作したときには、合計した記録容量がＤＶＤに録画可能となるように、且つ、最も高い画質となるように、ビットレート算出手段１５は、予約番号１、３、４の３つの番組を録画可能にするビットレートを算出する。そして、算出結果に基づいて録画モードを変更する。このため、『おまかせ』ボタン４５を操作したときでは、テレビ受像機２２における表示は、図７（Ｂ）に示す表示となる。すなわち、予約番号１、３の２つの番組の録画モードが、ＳＰからＬＰに変更される。従って、ＬＰモードによる４時間分の録画となる。つまり、１枚のＤＶＤに、最も高い画質で、３つの番組が録画されるようになる。
【００７０】
なお、図７（Ａ）に示す表示となった状態で、『編集・書換用』ボタン４３を操作したときには、テレビ受像機２２における表示は、図８に示す表示となる。すなわち、コピーワンスの番組を録画可能なＤＶＤの一覧から、書き換えが不能なＤＶＤを削除した一覧の表示となる。
【００７１】
また、なお、カーソルを予約番号２の録画予約に移動したときでは、『ＤＶＤ２』に録画する番組（番組番号２、６による番組）の記録容量は、録画可能容量に等しい。従って、このときでは、テレビ受像機２２における表示は、図９（Ａ）に示す表示となる（『保存用』ボタン４４が操作されたと見なされる）このため、コピーワンスの番組を録画可能なＤＶＤの全種類の一覧が表示される。また、『編集・書換用』ボタン４３を操作したときでは、図９（Ｂ）に示すように、コピーワンスの番組を録画可能なＤＶＤの一覧から、書き換えが不能なＤＶＤを削除した一覧が表示される。
【００７２】
図１０は、受信中の番組を録画可能なＤＶＤの一覧を表示させるときの実施形態の主要動作を示すフローチャートである。必要に応じて同図を参照しつつ、実施形態の動作を説明する。
【００７３】
リモコン２３等を操作することによって、チューナ部１が受信した番組をテレビ受像機２２に表示させる（ステップＳ３１）。この状態において、例えば、リモコン２３に設けられた一覧表示キー（図示は省略されており、一覧表示の指示を入力するために増設されたキースイッチ等からなる）を操作して、受信中の番組を録画可能なＤＶＤの一覧表示を指示する（ステップＳ３２）。
【００７４】
一覧表示の指示が入力されると、ディスク情報表示手段１９は、受信中の番組を録画可能なＤＶＤの種類を調べる。なお、このときでは、受信中の番組については、ＥＰＧ等を参照することによって、コピーワンスの番組（主にデジタル放送を受信している場合）なのか、または、コピー制限のない番組（主にアナログ放送を受信している場合）なのかを調べ、録画可能なＤＶＤの種類を取得する）（ステップＳ３３）。
【００７５】
そして後、受信中の番組の画像に、図１１（Ａ）に示す情報を重畳表示する。すなわち、録画後の録画内容の変更ありか変更なしかの選択において、『変更あり』の選択のときに操作する『編集・書換用』ボタン５１、『変更なし』の選択のときに操作する『保存用』ボタン５２を表示する（ステップＳ３４）。また、『保存用』ボタン５２が操作されたと見なし、録画が可能なＤＶＤ（書き換えが不能なＤＶＤを含む）の種類の一覧を表示する。このとき、最も安価であるＤＶＤ−Ｒの使用を推奨するため、表示されたＤＶＤ−Ｒに推奨マーク『＊＊』５８１を表示する（ステップＳ３５〜Ｓ３７）。
【００７６】
そして後、『編集・書換用』ボタン５１が操作されたかどうか、または、終了ボタン（図示を省略）が操作されたかどうかを調べるループ動作に移行する（ステップＳ３８〜Ｓ４０）。この状態において、『編集・書換用』ボタン５１が操作されると、図１１（Ｂ）に示すように、受信中の番組を録画可能なＤＶＤの全種類のうち、書き換えが不能なＤＶＤを削除した一覧を表示する（ステップＳ３５，Ｓ３６，Ｓ４１）。
【００７７】
なお、同図は、受信中の番組が、コピー制限の無い番組の場合を示している。従って、受信中の番組がコピーワンスの場合では、同図（Ａ）において表示されるＤＶＤの全種類の一覧は、ＤＶＤ−Ｒ・ＣＰＲＭ対応とＤＶＤ−ＲＷ・ＣＰＲＭ対応、および、ＤＶＤ−ＲＡＭとなり、同図（Ｂ）では、一覧は、ＤＶＤ−ＲＷ・ＣＰＲＭ対応、および、ＤＶＤ−ＲＡＭとなる。そして、『表示終了』ボタン５３を操作すると、一覧の表示動作を終了する。
【００７８】
図１２は、ダビングするときに使用可能なＤＶＤの一覧を表示させるときの実施形態の主要動作を示すフローチャートである。必要に応じて同図を参照しつつ、実施形態の動作を説明する。
【００７９】
いま、図１３に示す番組がＨＤＤ６に録画されているとする（その他の番組もＨＤＤ６に録画されているが、その他の番組については図示されていない）。この状態において、リモコン２３を操作し、ダビングしたい番組を指定する（ステップＳ５１）。いま、図１３に示すように、番組番号２の番組を指定したとする。そして、使用可能なＤＶＤの表示の指示を入力する（入力方法としては、例えば、図４に示したような『一覧表示』ボタン４１を操作する方法とすることができる）（ステップＳ５２）。
【００８０】
ディスク情報表示手段１９は、ダビング後の録画内容の変更あり（再度、別の番組を録画するために使用する）か変更なし（永久保存する）かの選択において、変更なしが選択されたと見なし、指定された番組のダビングに使用可能なＤＶＤの全種類の一覧を表示する（ステップＳ５３〜Ｓ５５）。従って、ステップＳ５５に動作が移行したときには、図１３（Ａ）に示したように、カーソル６９１によってダビングされることが示された番組をＤＶＤ２１にダビングするとき、使用可能なＤＶＤの全種類の一覧が表示される。
【００８１】
なお、カーソル６９１によって指定された番組は、地上波のアナログ放送であるため、コピー制限のない番組となっている。従って、このときでは、本実施形態を用いて録画が可能なＤＶＤの全ての種類が表示される。また、ＤＶＤの種類の一覧の表示においては、推奨するＤＶＤに対して、推奨を示すマーク『＊＊』６５１が表示される。
【００８２】
この後、動作は、ダビング後の録画内容の変更ありか変更なしかの選択において、『変更なし』が『変更あり』に、または、『変更あり』が『変更なし』に変わったかどうか（ステップＳ５６，Ｓ５７）、ダビングの対象として指定された番組が変更されたかどうか（ステップＳ５８）、表示を終了するかどうか（ステップＳ５９）のそれぞれを調べるループ動作に移行する。
【００８３】
図１３（Ａ）に示す表示となった状態において、『書換用』ボタン６１を操作すると、動作は、ステップＳ５６〜Ｓ５９からなるループ動作から、ステップＳ５３に移行する。このときでは、『変更あり』となるので、動作は、ステップＳ５３，Ｓ５４，Ｓ６０と移行する。このため、図１３（Ｂ）に示したように、『保存用』ボタン４４を操作したときのＤＶＤの全種類の一覧から、書き換えが不能なＤＶＤを削除したＤＶＤの種類の一覧が表示される。そして、このときでは、『ＤＶＤ−ＲＷ』に対して、推奨を示すマーク『＊＊』６５２が表示される。そして、以後では、ステップＳ５６〜Ｓ５９からなるループ動作に移行する。
【００８４】
また、図１３（Ａ）に示す表示となっている状態、すなわち、ダビング対象として、番組番号２の番組を指定した状態において、さらに、番組番号１の番組も同時にダビングすることを指定した場合（この指定は、カーソル６９２により示されている）、すなわち、番組番号１の番組と番組番号２の番組との２つの番組をＤＶＤ２１にダビングすることを指示した場合、動作は、ステップＳ５８からステップＳ５３と移行する。このときでは、『保存用』ボタン４４が操作されていることになるので、動作は、ステップＳ５３〜Ｓ５５と移行する。
【００８５】
ステップＳ５５において、ディスク情報表示手段１９は、Ｄ１４（Ａ）に示したように、番組番号１の番組のダビングに使用可能となるＤＶＤの全種類と、番組番号２の番組のダビングに使用可能となるＤＶＤの全種類との双方に共通するＤＶＤの種類のみを示す一覧を表示する。すなわち、番組番号２の番組は地上波アナログ放送のため、コピー制限のない番組となっているが、番組番号１の番組は地上波デジタル放送のためにコピーワンスとなっている。このため、表示される一覧は、コピーワンスの番組を録画可能なＤＶＤの全種類の一覧となる。この状態において、『書換用』ボタン６１を操作したときでは、表示される一覧は、図１４（Ｂ）に示したように、同図（Ａ）に示す一覧から、書き換えが不能なＤＶＤを削除した一覧となる。
【００８６】
なお、本発明は上記実施形態に限定されず、光ディスクについては、ＤＶＤとした場合について説明したが、その他の光ディスク（例えば、ブルーレイディスク等）の場合にも、同様に適用することができる。
【図面の簡単な説明】
【００８７】
【図１】本発明に係る光ディスク装置の一実施形態であるハードディスクドライブ一体型ＤＶＤレコーダの電気的構成を示すブロック線図である。
【図２】録画予約時の入力項目を示す説明図である。
【図３】録画予約による録画に使用可能なＤＶＤの一覧を表示するときの実施形態の主要動作を示すフローチャートである。
【図４】入力された録画予約を示す説明図である。
【図５】録画予約に使用可能なＤＶＤの種類の一覧表示時の画面を示す説明図である。
【図６】録画予約に使用可能なＤＶＤの種類の一覧表示時の画面を示す説明図である。
【図７】録画予約に使用可能なＤＶＤの種類の一覧表示時の画面を示す説明図である。
【図８】録画予約に使用可能なＤＶＤの種類の一覧表示時の画面を示す説明図である。
【図９】録画予約に使用可能なＤＶＤの種類の一覧表示時の画面を示す説明図である。
【図１０】受信した番組の録画に使用可能なＤＶＤの一覧を表示するときの実施形態の主要動作を示すフローチャートである。
【図１１】受信した番組の録画に使用可能なＤＶＤの種類の一覧表示時の画面を示す説明図である。
【図１２】ダビング時に録画に使用可能なＤＶＤの一覧を表示するときの実施形態の主要動作を示すフローチャートである。
【図１３】ダビングに使用可能なＤＶＤの種類の一覧表示時の画面を示す説明図である。
【図１４】ダビングに使用可能なＤＶＤの種類の一覧表示時の画面を示す説明図である。
【符号の説明】
【００８８】
５  ディスクドライブ部
６  ハードディスクドライブ（情報記録媒体）
１２  録画予約手段
１３  予約実行手段
１４  録画容量判定手段
１５  ビットレート算出手段
１６  録画制御手段
１７  ダビング実行手段
１８  ダビング番組指定手段
１９  ディスク情報表示手段
２１  ＤＶＤ（光ディスク）
【図１】
2006216130.tif 000003
【図２】
2006216130.tif 000004
【図３】
2006216130.tif 000005
【図４】
2006216130.tif 000006
【図５】
2006216130.tif 000007
【図６】
2006216130.tif 000008
【図７】
2006216130.tif 000009
【図８】
2006216130.tif 000010
【図９】
2006216130.tif 000011
【図１０】
2006216130.tif 000012
【図１１】
2006216130.tif 000013
【図１２】
2006216130.tif 000014
【図１３】
2006216130.tif 000015
【図１４】
2006216130.tif 000016